(57)【要約】【課題】部品点数を低減し得る手摺ブラケットの提供。【解決手段】ほぼＬ字状のアーム部４の一端に、その他端側が鉛直となるようにして入隅の一つの壁面Ｗ１  （Ｗ２  ）又は出隅の二つの壁面Ｗ３  ，Ｗ４  に固定するための固定座５を設ける一方、他端に、少なくとも一つの対角線が上記壁面と４５°の角度をなす正方形断面の角柱状の支持部８を連設した壁固定アーム部材２と、Ｌ字状の円筒体１５の両端部に手摺Ｈの端部が嵌挿されるソケット部１６を設け、上記円筒体の湾曲部に、円筒体の軸線を含む平面に対して垂直で対角線が円筒体の両端部の軸線と４５°の角度をなす正方形断面の支持部嵌合穴１７を半径方向へ設け、この支持部嵌合穴を介して壁固定アーム部材の支持部に嵌合されてねじ止めされる手摺ソケット部材３とを備える。【選択図】        図４
2004324163.tif 000002
【特許請求の範囲】
【請求項１】
ほぼＬ字状のアーム部の一端に、その他端側が鉛直となるようにして入隅の一つの壁面又は出隅の二つの壁面に固定するための固定座を設ける一方、他端に、少なくとも一つの対角線が上記壁面と４５°の角度をなす正方形断面の角柱状の支持部を連設した壁固定アーム部材と、Ｌ字状の円筒体の両端部に手摺の端部が嵌挿されるソケット部を設け、上記円筒体の湾曲部に、円筒体の軸線を含む平面に対して垂直で対角線が円筒体の両端部の軸線と４５°の角度をなす正方形断面の支持部嵌合穴を半径方向へ設け、この支持部嵌合穴を介して壁固定アーム部材の支持部に嵌合されてねじ止めされる手摺ソケット部材とを備えることを特徴とする手摺ブラケット。
【請求項２】
ほぼＬ字状のアーム部４の一端に、その他端側が鉛直となるようにして入隅の一つの壁面又は出隅の二つの壁面に固定するための固定座を設ける一方、他端に、少なくとも一つの対角線が上記壁面と４５°の角度をなす正方形断面の角柱状の支持部を連設した壁固定アーム部材と、Ｌ字状の円筒体の両端部内にその軸線を含む平面に対して垂直な支持壁を軸方向へそれぞれ形成すると共に、各支持壁の外端部に円筒体の半径を曲率半径とするほぼ円板状の連結部を連設し、上記円筒体の湾曲部に、円筒体の軸線を含む平面に対して垂直で対角線が円筒体の両端部の軸線と４５°の角度をなす正方形断面の支持部嵌合穴を半径方向へ設け、この支持部嵌合穴を介して壁固定アーム部材の支持部に嵌合されてねじ止めされるソケット支持部材と、一端部を閉止した有底短円筒体の他端部に手摺の端部が嵌挿されるソケット部を設ける一方、一端に有底短円筒体の半径を曲率半径とする半球体状の凸部を連設し、凸部にその曲率中心を通り底面がソケット支持部材の連結部の外周とほぼ同一曲率の係合溝を形成し、この係合溝と連結部を係合させた状態で凸部と連結部の曲率中心を通る連結ピンを介してソケット支持部材と連結される二つの手摺ソケット部材とを備えることを特徴とする手摺ブラケット。
【発明の詳細な説明】
【０００１】
【発明の属する技術分野】
本発明は、手摺をコーナー部の壁面に取り付ける手摺ブラケットに関する。
【０００２】
【従来の技術】
従来、この種の手摺ブラケットとしては、ほぼ円弧状のアーム部の一端に、アーム部をその他端が上方となるようにして入隅部に取り付けるための取付部を設ける一方、他端に、入隅の二つの壁面と４５°の角度をなす方向を長手方向とする長円形断面の柱状の支持部を連設した壁固定アーム部材と、Ｌ字状の円柱体の両端面に半球面状の凹面部を形成し、円柱体の湾曲部に、円柱体の軸線を含む平面に対して垂直で円柱体の両端部の軸線と４５°の角度をなす方向を長手方向とする長円形断面の支持嵌合穴を半方向へ設け、この支持嵌合穴を介して壁固定アーム部材の支持部に嵌合されるソケット支持部材と、短円筒体の一端に手摺の端部が嵌挿されるソケット部を設ける一方、他端にその半径を曲率半径とする中空半球状の凸面部を連設し、この凸面部をソケット支持部材の凹面部と球面接触状態を保ちながら相対運動可能に連係させた二つの手摺ソケット部材とを備えたものが開示されている（例えば、特許文献１参照）。
【０００３】
【特許文献１】
特許第２９５４１７５号公報
【０００４】
【発明が解決しようとする課題】
しかし、従来の手摺ブラケットでは、壁固定アーム部材の支持部が、入隅の二つの壁面と４５°の角度をなす方向を長手方向とする長円形断面を呈する一方、ソケット支持部材の支持部嵌合穴が、円柱体の両端部の軸線と４５°の角度をなす方向を長手方向とする長円形断面を呈しているため、壁固定アーム部材の取り付けを、入隅、出隅部の二つの壁面に亘って行う場合のみならず、入隅、出隅部のいずれか一方の壁面に対して行う場合には、支持部嵌合穴の異なる二種類のソケット支持部材を必要とする不具合がある。
【０００５】
そこで、本発明は、部品点数を低減し得る手摺ブラケットの提供を主課題とする。
【０００６】
【課題を解決するための手段】
前記課題を解決するため、本発明の第１の手摺ブラケットは、ほぼＬ字状のアーム部の一端に、その他端側が鉛直となるようにして入隅の一つの壁面又は出隅の二つの壁面に固定するための固定座を設ける一方、他端に、少なくとも一つの対角線が上記壁面と４５°の角度をなす正方形断面の角柱状の支持部を連設した壁固定アーム部材と、Ｌ字状の円筒体の両端部に手摺の端部が嵌挿されるソケット部を設け、上記円筒体の湾曲部に、円筒体の軸線を含む平面に対して垂直で対角線が円筒体の両端部の軸線と４５°の角度をなす正方形断面の支持部嵌合穴を半径方向へ設け、この支持部嵌合穴を介して壁固定アーム部材の支持部に嵌合されてねじ止めされる手摺ソケット部材とを備えることを特徴とする。
【０００７】
又、第２の手摺ブラケットは、ほぼＬ字状のアーム部の一端に、その他端側が鉛直となるようにして入隅の一つの壁面又は出隅の二つの壁面に固定するための固定座を設ける一方、他端に、少なくとも一つの対角線が上記壁面と４５°の角度をなす正方形断面の角柱状の支持部を連設した壁固定アーム部材と、Ｌ字状の円筒体の両端部内にその軸線を含む平面に対して垂直な支持壁を軸方向へそれぞれ形成すると共に、各支持壁の外端部に円筒体の半径を曲率半径とするほぼ円板状の連結部を連設し、上記円筒体の湾曲部に、円筒体の軸線を含む平面に対して垂直で対角線が円筒体の両端部の軸線と４５°の角度をなす正方形断面の支持部嵌合穴を半径方向へ設け、この支持部嵌合穴を介して壁固定アーム部材の支持部に嵌合されてねじ止めされるソケット支持部材と、一端部を閉止した有底短円筒体の他端部に手摺の端部が嵌挿されるソケット部を設ける一方、一端に有底短円筒体の半径を曲率半径とする半球体状の凸部を連設し、凸部にその曲率中心を通り底面がソケット支持部材の連結部の外周とほぼ同一曲率の係合溝を形成し、この係合溝と連結部を係合させた状態で凸部と連結部の曲率中心を通る連結ピンを介してソケット支持部材と連結される二つの手摺ソケット部材とを備えることを特徴とする。
【０００８】
【作用】
本発明の第１の手摺ブラケットにおいては、壁固定アーム部材が入隅の一つの壁面固定用又は出隅の二つの面壁固定用のいずれであっても、一種類の手摺ソケット部材で対応可能となる。
【０００９】
又、第２の手摺ブラケットにおいては、壁固定アーム部材が入隅の一つの壁面固定用又は出隅の二つの壁面固定用のいずれであっても、一種類のソケット支持部材、手摺ソケット部材で対応可能となる上、両手摺ソケット部材がそれぞれ水平な連結ピンを中心として回動可能となる。
【００１０】
壁固定アーム部材における固定座には、出隅の二つの壁面固定用、入隅の一つの壁面固定用のいずれであっても、壁取付用ねじを覆うために、カバーを取り付けることが好ましい。
又、手摺ソケット部材の回動範囲は、約９０°の角度範囲とすることが好ましい。
【００１１】
【発明の実施の形態】
以下、本発明の実施の形態について図面を参照して説明する。
図１、図２、図３、図４、図５及び図６は本発明に係る手摺ブラケットの第１の実施の形態を示す使用状態を平面図、図１におけるＩＩ方向矢視図、正面図、平面図、右側面図及び斜視図である。
【００１２】
この手摺ブラケット１は、入隅の二つの壁面Ｗ１  ，Ｗ２  に沿い直角をなして水平に配設される手摺Ｈをいずれか一方の壁面Ｗ１  （Ｗ２  ）に取り付けるためのもので、入隅のいずれか一方の壁面Ｗ１  （Ｗ２  ）に固定される壁固定アーム部材２と、壁固定アーム部材２に対して相対的に垂直軸回りで９０°の角度ずつ位置を変えてねじ止めされ、手摺Ｈを直角に継ぎ合わせる手摺ソケット部材３とを備えている。
【００１３】
壁固定アーム部材２は、図７〜図１３に詳細に示すように、ほぼＬ字状に湾曲したアーム部４を有している。アーム部４の一端（図７においては左端）には、アーム部４の他端側（図７においては右端側）が鉛直となるようにして壁固定アーム部材２を入隅のいずれか一方の壁面Ｗ１  （Ｗ２  ）に対して直角に固定するために円板状の固定座５が設けられており、この固定座５には、壁固定アーム部材２を後述するように壁面Ｗ１  （Ｗ２  ）に取り付ける壁固定用ねじを通すための貫通孔６が、アーム部４を挟んで片側二つずつ設けられていると共に、後述するカバーの係合突起と嵌り合う嵌合孔７が片側一つずつ設けられている。
一方、アーム部４の他端には、対角線が入隅の二つの壁面Ｗ１  ，Ｗ２  と４５°の角度をなす正方形断面の角柱状の支持部８が、受け座９を介在して連設されており、支持部８の端面中央には、後述するソケット部材取付け用ねじが螺入されるねじ孔１０が螺刻されている。
そして、壁固定アーム部材２は、図１、図１４〜図１８に示すように、固定座５の各貫通孔６に挿入した壁固定用ねじ１１を入隅のいずれか一方の壁面Ｗ１  （Ｗ２  ）に螺入することによって壁面Ｗ１  （Ｗ２  ）に固定されるものであり、かつ、固定座５の両側には、壁固定用ねじ１１を覆うための半円キャップ状のカバー１２が、その内面に突設した係合突起１３を介して着脱可能に装着されるものである。
図９、図１３、図１５、図１８において１４は固定座５の背面からアーム部４の一端部に及ぶ肉盗みである。
【００１４】
手摺ソケット部材３は、図１〜図６、図１９に示すように、Ｌ字状に湾曲した円筒体１５を有している。円筒体１５の両端部には、手摺Ｈの端部が嵌挿されるソケット部１６がそれぞれ設けられている一方、湾曲部には、円筒体１５の軸線を含む仮想の平面に対して垂直で対角線が円筒体１５の両端部の軸線と４５°の角度をなす正方形断面の支持部嵌合穴１７が半径方向に設けられている。
そして、手摺ソケット部材３は、支持部嵌合穴１７を介して壁固定アーム部材２の支持部８に嵌合され、かつ、手摺ソケット部材３の湾曲部に設けた貫通孔１８から挿入したソケット部材取付け用ねじ１９を支持部８のねじ孔１０に螺入することにより、壁固定アーム部材２に対して相対的に垂直軸回りで９０°の角度ずつ位置を変えて着脱可能にねじ止めされている。
図１、図４、図６において２０は手摺ソケット部材３のソケット部１６の下部（支持部嵌合穴側）に設けた貫通孔で、ソケット部１６に嵌挿された手摺Ｈの端部を固定する固定ねじ（図示せず）が挿入されるものである。
【００１５】
図２０、図２１、図２２、図２３、図２４、図２５、図２６及び図２７は本発明に係る手摺ブラケットの第２の実施の形態を示す使用状態の平面図、図２０におけるＸＸＩ  方向矢視図、正面図、平面図、背面図、図２３におけるＸＸＶ  方向矢視図、図２３におけるＸＸＶＩ方向矢視図及び斜視図である。
なお、以下の説明において、第１の実施の形態のものと同一の機能を奏する構成部材等には、同一の符合を付してその説明を省略する。
【００１６】
この手摺ブラケット２１は、出隅の二つの壁面Ｗ３  ，Ｗ４  に沿い直角をなして水平に配設される手摺Ｈを二つの壁面Ｗ３  ，Ｗ４  に取り付けるためのもので、出隅の二つの壁面Ｗ３  ，Ｗ４  に固定される壁固定アーム部材２２と、第１の実施の形態のものと同様で、壁固定アーム部材２２に対してねじ止めされ、手摺Ｈを直角に継ぎ合わせる手摺ソケット部材３とを備えている。
【００１７】
壁固定アーム部材２２は、図２８〜図３７に詳細に示すように、ほぼＬ字状に湾曲したアーム部２３を有している。アーム部２３の一端（図２８においては左端）には、アーム部２３の他端側（図２８においては右端側）が鉛直となるようにして壁固定アーム部材２２を出隅の二つの壁面Ｗ３  ，Ｗ４  に対して４５°の角度で固定するために円板を直角に折曲した形状の固定座２４が設けられており、この固定座２４には、前述した第１の実施の形態のものと同様に、壁固定アーム部材２２を二つの壁面Ｗ３  ，Ｗ４  に取付ける壁固定用ねじ１１を通すための貫通孔２５が、アーム部２３を挟んで片側二つずつ設けられていると共に、カバー１２の係合突起１３と嵌り合う嵌合孔２６が片側一つずつ設けられている。
一方、アーム部２３の他端には、一つの対角線が出隅の二つの壁面と４５°の角度をなす正方形断面の角柱状の支持部２７（他の対角線は出隅の二つの壁面と１３５°の角度をなす）が、受け座２８を介在して連設されており、支持部２７の端面中央には、ソケット部材取付け用ねじ１９が螺入されるねじ孔２９が螺刻されている。
そして、壁固定アーム部材２２は、図２０に示すように、固定座２４の各貫通孔２５に挿入した壁固定用ねじ１１を出隅の二つの壁面Ｗ３  ，Ｗ４  に螺入することによって壁面Ｗ３  ，Ｗ４  に固定されるものであり、かつ、固定座２４の両側には、壁固定用ねじ１１を覆うための半円キャップ状のカバー１２が、その内面の係合突起１３を介して着脱可能に装着されるものである。
図２４、図２６、図２９、図３１、図３４、図３５及び図３７においては３０は、固定座２４の背面からアーム部２３の一端部に及び肉盗みである。
【００１８】
前記壁固定アーム部材２２には、図２０〜図２６、図３８に示すように、手摺ソケット部材３が支持部嵌合穴１７を介して支持部２７に嵌合され、かつ、湾曲部に設けた貫通孔１８から挿入したソケット部材取付け用ねじ１９を支持部２７のねじ孔２９に螺入することにより、着脱可能にねじ止めされている。
【００１９】
図３９、図４０、図４１、図４２、図４３、図４４、図４５及び図４６は本発明に係る手摺ブラケットの第３の実施の形態を示す使用状態の平面図、図３９におけるＸＸＸＸ方向矢視図、正面図、平面図、右側面図、図４２におけるＸＸＸＸＩＶ方向矢視図、斜視図及び作用説明図である。
なお、以下の説明において、第１の実施の形態のものと同一の機能を奏する構成部材等には、同一の符号を付してその説明を省略する。
【００２０】
この手摺ブラケット３１は、階段Ｓにおける入隅の二つの壁面Ｗ５  ，Ｗ６  に沿い直角をなし、かつ、階段Ｓの傾斜に合わせて配設される手摺Ｈをいずれか一方の壁面Ｗ５  （Ｗ６  ）に取付けるためのもので、第１の実施の形態のものと同様で、入隅のいずれか一方の壁面Ｗ５  （Ｗ６  ）に固定される壁固定アーム部材２と、壁固定アーム部材２に対して相対的に垂直軸回りで９０°の角度ずつ位置を変えてねじ止めされるＬ字状のソケット支持部材３２と、ソケット支持部材３２の両端部に水平軸回りに回動可能に連結され、手摺Ｈを階段Ｓの傾斜に合わせて継ぎ合わせる二つの手摺ソケット部材３３とを備えている。
【００２１】
ソケット支持部材３２は、図４７〜図５０に詳細に示すように、Ｌ字状に湾曲した円筒体３４を有している。円筒体３４の両端部内には、円筒体３４の軸線をを含む仮想の平面に対して垂直な支持壁３５が軸方向へそれぞれ形成されており、両支持壁３５の内端部は、湾曲部内で直角に接合されている。
両支持壁３５の外端部には、円筒体３４の半径を曲率半径とするほぼ円板状の連結部３６が連設されており、それぞれの連結部３６の曲率中心には、後述する連結ピンを通す貫通孔３７が設けられている。
又、円筒体３４の湾曲部には、前記仮想の平面に対して垂直で対角線が円筒体３４の両端部の軸線と４５°の角度をなす正方形断面の支持部嵌合穴３８が半径方向へ設けられている。
そして、ソケット支持部材３２は、支持部嵌合穴３８を介して壁固定アーム部材２の支持部８に嵌合され、かつ、ソケット支部部材３２の湾曲部に設けた貫通孔３９から挿入した支持部材取付け用ねじ４０（図４１〜図４６参照）を支持部８のねじ孔１０に螺入することにより、壁固定アーム部材２に対して相対的に垂直軸回りで９０°の角度ずつ位置を変えて着脱可能にねじ止めされている。
【００２２】
手摺ソケット部材３３は、図５１〜図５３に詳細するように、一端部（図５１，図５２においては左端部）を閉止した有底短円筒体４１を有している。有底短円筒体４１の他端には、手摺Ｈの端部が嵌挿されるソケット部４２が設けられており、このソケット部４２の下部には、ソケット部４２に嵌挿された手摺Ｈの端部を固定するための固定ねじ（図示せず）を挿入する貫通孔４３が設けられている。
一方、有底短円筒体４１の一端には、有底短円筒４１の半径を曲率半径とする半球体状の凸部４４が連設されており、この凸部４４には、その曲率中心を通り底面が前記ソケット支持部材３２の連結部３６の外周とほぼ同一曲率の係合溝４５が上下方向へ形成されていると共に、後述する連結ピンを挿着するためのピン穴４６が、係合溝４５を横切って凸部４４の曲率中心を通るように設けられている。
そして、手摺ソケット部材３３は、図３９〜図４６に示すように、係合溝４５をソケット支持部材３２の連結部３６と係合させた状態で、ピン穴４６及び貫通孔３７にスプリングピン等の連結ピン４７を挿着することによりソケット支持部材３２と回動可能に連結されており、手摺ソケット部材３２の回動範囲は、軸線をソケット支持部材３２の軸線と一直線状にした状態から上方又は下方へ４５°ずつ合計９０°の角度範囲とされている。
【００２３】
図５４、図５５、図５６、図５７、図５８、図５９、図６０及び図６１は本発明に係る手摺ブラケットの第４の実施の形態を示す使用状態の平面図、図５４におけるＸＸＸＸＸＶ方向矢視図、正面図、平面図、背面図、図５７におけるＸＸＸＸＸＩＸ  方向矢視図、斜視図及び作用説明図である。
なお、以下の説明において、第２、第３の実施の形態のものと同一の機能を奏する構成部材等には、同一の符号を付してその説明を省略する。
【００２４】
この手摺ブラケット４８は、廊下Ｃと階段Ｓの出隅の二つの壁面Ｗ７  ，Ｗ８  に沿い直角をなし、かつ、廊下Ｃの平坦さと階段Ｓの傾斜に合わせて配設される手摺Ｈを二つの壁面Ｗ７  ，Ｗ８  に取付けるためのもので、第２の実施の形態のものと同様で、出隅の二つの壁面Ｗ７  ，Ｗ８  に固定される壁固定アーム部材２２と、第３の実施の形態のものと同様で、壁固定アーム部材２２に対して相対的に垂直線回りで９０°の角度ずつ位置を変えてねじ止めされるＬ字状のソケット支持部材３２と、第３の実施の形態のものと同様で、ソケット支持部材３２の両端部に水平軸回りに回動可能に連結され、手摺Ｈを廊下Ｃの平坦さと階段Ｓの傾斜に合わせて継ぎ合わせる二つの手摺ソケット部材３３とを備えている。
【００２５】
【発明の効果】
以上説明したように、本発明の第１の手摺ブラケットによれば、壁固定アーム部材が入隅の一つの壁面固定用又は出隅の二つの壁面固定用のいずれであっても、一種類の手摺ソケット部材で対応可能となるので、コーナー部の壁面に手摺を取付ける際の部品点数を低減することができる。
【００２６】
又、第２の手摺ブラケットによれば、壁固定用アーム部材が入隅の一つの壁面固定用又は出隅の二つの壁面固定用のいずれであっても、一種類のソケット支持部材、手摺ソケット部材で対応可能となるので、第１のものと同様に、コーナー部の壁面に手摺を取り付ける際の部品点数を低減することができる。
その上、両手摺ソケット部材がそれぞれ水平な連結ピンを中心として回動可能となるので、廊下の平坦さと階段等の傾斜に対応させて手摺を配設することができる。
【図面の簡単な説明】
【図１】本発明に係る手摺ブラケットの第１の実施の形態を示す使用状態の平面図である。
【図２】図１におけるＩＩ方向矢視図である。
【図３】本発明に係る手摺ブラケットの第１の実施の形態を示す正面図である。
【図４】図３の手摺ブラケットの平面図である。
【図５】図３の手摺ブラケットの右側面図である。
【図６】図３の手摺ブラケットの斜視図である。
【図７】図３の手摺ブラケットにおける壁固定アーム部材の正面図である。
【図８】図７の壁固定アーム部材の平面図である。
【図９】図７の壁固定アーム部材の左側面図である。
【図１０】図７の壁固定アーム部材の右側面図である。
【図１１】図７の壁固定アーム部材の斜視図である。
【図１２】図７におけるＸＩＩ  −ＸＩＩ  線端面図である。
【図１３】図９におけるＸＩＩＩ−ＸＩＩＩ線断面図である。
【図１４】図７の壁固定アーム部材に対するカバーの取付け状態を示す右側面図である。
【図１５】図１４におけるＸＶ−ＸＶ線断面図である。
【図１６】図１４におけるＸＶＩ  方向矢視図である。
【図１７】図７の壁固定アーム部材にカバーを取り付けた状態での斜視図である。
【図１８】図７の壁固定アーム部材にカバーを取り付けた状態での背面からの斜視図である。
【図１９】図４におけるＸＩＶ  −ＸＩＶ  線端面図である。
【図２０】本発明に係る手摺ブラケットの第２の実施の形態を示す使用状態の平面図である。
【図２１】図２０におけるＸＸＩ  方向矢視図である。
【図２２】本発明に係る手摺ブラケットの第２の実施の形態を示す正面図である。
【図２３】図２２の手摺ブラケットの平面図である。
【図２４】図２２の手摺ブラケットの背面図である。
【図２５】図２３におけるＸＸＶ  方向矢視図である。
【図２６】図２３におけるＸＸＶＩ方向矢視図である。
【図２７】図２２の手摺ブラケットの斜視図である。
【図２８】図２２の手摺ブラケットにおける壁固定アーム部材の図２３におけるＸＸＶＩＩＩ方向矢視図である。
【図２９】図２８におけるＸＸＩＸ方向矢視図である。
【図３０】図２９におけるＸＸＸ  方向矢視図である。
【図３１】図２９におけるＸＸＸＩ方向矢視図である。
【図３２】図２８の壁固定アーム部材の斜視図である。
【図３３】図２８におけるＸＸＸＩＩＩ−ＸＸＸＩＩＩ線端面図である。
【図３４】図２９におけるＸＸＸＩＶ  方向部分矢視図である。
【図３５】図３０におけるＸＸＸＶ−ＸＸＸＶ線断面図である。
【図３６】図２８の壁固定アーム部材にカバーを取り付けた状態の斜視図である。
【図３７】図２２の壁固定アーム部材にカバーを取り付けた状態での背面からの斜視図である。
【図３８】図２３におけるＸＸＸＶＩＩＩ  −ＸＸＸＶＩＩＩ  線端面図である。
【図３９】本発明に係る手摺ブラケットの第３の実施の形態を示す使用状態の平面図である。
【図４０】図３９におけるＸＸＸＸ方向矢視図である。
【図４１】本発明に係る手摺ブラケットの第３の実施の形態を示す正面図である。
【図４２】図４１の手摺ブラケットの平面図である。
【図４３】図４１の手摺ブラケットの右側面図である。
【図４４】図４２におけるＸＸＸＸＩＶ方向矢視図である。
【図４５】図４１の手摺ブラケットの斜視図である。
【図４６】図４１の手摺ブラケットの作用説明図である。
【図４７】図４１の手摺ブラケットにおけるソケット支持部材の正面図である。
【図４８】図４７のソケット支持ブラケットの平面図である。
【図４９】図４７のソケット支持部材の背面図である。
【図５０】図４７のソケット支持部材の底面図である。
【図５１】図４１の手摺ブラケットにおける手摺ソケット部材の正面図である。
【図５２】図５１の手摺ソケット部材の平面図である。
【図５３】図５１の手摺ソケット部材の右側面図である。
【図５４】本発明に係る手摺ブラケットの第４の実施の形態を示す使用状態の平面図である。
【図５５】図５４におけるＸＸＸＸＸＶ方向矢視図である。
【図５６】本発明に係る手摺ブラケットの第４の実施の形態を示す正面図である。
【図５７】図５６の手摺ブラケットの平面図である。
【図５８】図５６の手摺ブラケットの背面図である。
【図５９】図５７におけるＸＸＸＸＸＩＸ  方向矢視図である。
【図６０】図５６の手摺ブラケットの斜視図である。
【図６１】図５６の手摺ブラケットの作用説明図である。
【符号の説明】
２  壁固定アーム部材
３  手摺ソケット部材
４  アーム部
５  固定座
８  支持部
１５  円筒体
１６  ソケット部
１７  支持部嵌合穴
１９  ソケット部材取付け用ねじ
２２  壁固定アーム部材
２３  アーム部
２４  固定座
２７  支持部
３２  ソケット支持部材
３３  手摺ソケット部材
３４  円筒体
３５  支持壁
３６  連結部
３８  支持部嵌合穴
４０  支持部材取付け用ねじ
４１  有底短円筒体
４２  ソケット部
４４  凸部
４５  係合溝
４７  連結ピン
Ｗ１    入隅の壁面
Ｗ２    入隅の壁面
Ｗ３    出隅の壁面
Ｗ４    出隅の壁面
Ｗ５    入隅の壁面
Ｗ６    入隅の壁面
Ｗ７    出隅の壁面
Ｗ８    出隅の壁面
Ｈ    手摺
【図１】
2004324163.tif 000003
【図２】
2004324163.tif 000004
【図３】
2004324163.tif 000005
【図４】
2004324163.tif 000006
【図５】
2004324163.tif 000007
【図６】
2004324163.tif 000008
【図７】
2004324163.tif 000009
【図８】
2004324163.tif 000010
【図９】
2004324163.tif 000011
【図１０】
2004324163.tif 000012
【図１１】
2004324163.tif 000013
【図１２】
2004324163.tif 000014
【図１３】
2004324163.tif 000015
【図１４】
2004324163.tif 000016
【図１５】
2004324163.tif 000017
【図１６】
2004324163.tif 000018
【図１７】
2004324163.tif 000019
【図１８】
2004324163.tif 000020
【図１９】
2004324163.tif 000021
【図２０】
2004324163.tif 000022
【図２１】
2004324163.tif 000023
【図２２】
2004324163.tif 000024
【図２３】
2004324163.tif 000025
【図２４】
2004324163.tif 000026
【図２５】
2004324163.tif 000027
【図２６】
2004324163.tif 000028
【図２７】
2004324163.tif 000029
【図２８】
2004324163.tif 000030
【図２９】
2004324163.tif 000031
【図３０】
2004324163.tif 000032
【図３１】
2004324163.tif 000033
【図３２】
2004324163.tif 000034
【図３３】
2004324163.tif 000035
【図３４】
2004324163.tif 000036
【図３５】
2004324163.tif 000037
【図３６】
2004324163.tif 000038
【図３７】
2004324163.tif 000039
【図３８】
2004324163.tif 000040
【図３９】
2004324163.tif 000041
【図４０】
2004324163.tif 000042
【図４１】
2004324163.tif 000043
【図４２】
2004324163.tif 000044
【図４３】
2004324163.tif 000045
【図４４】
2004324163.tif 000046
【図４５】
2004324163.tif 000047
【図４６】
2004324163.tif 000048
【図４７】
2004324163.tif 000049
【図４８】
2004324163.tif 000050
【図４９】
2004324163.tif 000051
【図５０】
2004324163.tif 000052
【図５１】
2004324163.tif 000053
【図５２】
2004324163.tif 000054
【図５３】
2004324163.tif 000055
【図５４】
2004324163.tif 000056
【図５５】
2004324163.tif 000057
【図５６】
2004324163.tif 000058
【図５７】
2004324163.tif 000059
【図５８】
2004324163.tif 000060
【図５９】
2004324163.tif 000061
【図６０】
2004324163.tif 000062
【図６１】
2004324163.tif 000063